(57)【要約】【課題】耕耘ムラを解消して平坦な耕耘地を形成するロータリー作業機を提供する。【解決手段】エンジンを有するトラクタ２１の後部に連結し、エンジンによってロータリー爪４５を回転させるロータリー作業機４５において、ロータリー爪４５を上方より覆い、耕耘土の飛散を防止するとともに耕耘土を前方に案内するためのロータリーカバー４６を備え、トラクタ２１の後輪２４が形成する轍Ｔに向けて耕耘土を案内するための土寄せカバー５８を、ロータリーカバー４６の前部に回動可能に備え、不使用時には、土寄せカバー５８を回動させてロータリーカバー４６上に固定する。【選択図】図１
2013039090.tif 000002
【特許請求の範囲】
【請求項１】
動力源を有する作業車両の後部に連結し、前記動力源によって耕耘爪を回転させるロータリー作業機において、
前記耕耘爪を上方より覆い、耕耘土の飛散を防止するとともに該耕耘土を前方に案内するためのロータリーカバーを備え、
前記作業車両の車輪が形成する轍に向けて前記耕耘土を案内するための案内部を、前記ロータリーカバーの前部に回動可能に備え、
不使用時には、前記案内部を上方に回動させて前記ロータリーカバー上に固定することを特徴とする、ロータリー作業機。
【請求項２】
動力源を有する作業車両の後部に連結し、前記動力源によって耕耘爪を回転させるロータリー作業機において、
前記耕耘爪を上方より覆い、耕耘土の飛散を防止するとともに該耕耘土を前方に案内するためのロータリーカバーを備え、
該ロータリーカバーの前部に、前記作業車両の車輪が形成する轍に向けて前記耕耘土を案内するための案内部を備え、
該案内部が前記ロータリーカバーに対して着脱自在であることを特徴とする、ロータリー作業機。
【請求項３】
前記案内部が、前記耕耘土を案内するガイド部と、該ガイド部を保持する本体部とを備え、
前記ガイド部を回動させることで、該ガイド部の中心線が前記轍の中心線とのなす角を変更可能に、前記本体部が前記ガイド部を保持することを特徴とする、請求項１または２に記載のロータリー作業機。
【発明の詳細な説明】
【技術分野】
【０００１】
本発明は、土を耕耘する複数の耕耘爪と、耕耘爪を外周に突出して設けた爪軸と、耕耘した土の飛散を抑制してするための耕耘カバーとを備え、自走式作業機の後部に連結して使用するロータリー作業機に関する。
【背景技術】
【０００２】
圃場で、トラクタがロータリー作業機を牽引して耕耘作業をする際の課題の一つとして耕耘ムラがあった。たとえば、耕耘作業中に、同一圃場内において生じる土質（硬さ、含水率など）の不均一によって耕耘爪への負荷が増加した場合には、ロータリー作業機を適宜上昇させて耕深を浅くし、耕耘爪への負荷の増加（すなわち、エンジンへの負荷の増加）を回避してきた。しかし、このような対処方法では、耕耘深さが不均一になり耕耘ムラが生じてしまうという問題があった。
【０００３】
これに対して、特許文献１には、土質に応じてロータリー作業機の耕耘カバーを前後に回動させる負荷制御機構を設け、エンジンへの負荷の一定化と耕耘深さの一定化という２つの課題を同時に解決する技術が開示されている。
【先行技術文献】
【特許文献】
【０００４】
【特許文献１】特開平０８−２２８５０８号公報
【発明の概要】
【発明が解決しようとする課題】
【０００５】
しかし、このような技術は、圃場の土質の不均一性に焦点を当てた対策であり、トラクタの轍によって形成された地面の凹凸を平坦化するには至っていない。耕耘作業をする際に圃場をトラクタが走行することによって形成される轍は、それ以外の部分に比べて地面が大きく窪んでいるため、耕耘作業によって平坦な耕作地とならず、耕耘ムラができてしまうという問題がある。この点に対して、特許文献１は解決策を提示していない。そこで、この発明の目的は、耕耘ムラを解消して平坦な耕作地を形成するロータリー作業機を提供することにある。
【課題を解決するための手段】
【０００６】
このため請求項１に記載の発明は、動力源を有する作業車両の後部に連結し、前記動力源によって耕耘爪を回転させるロータリー作業機において、
前記耕耘爪を上方より覆い、耕耘土の飛散を防止するとともに該耕耘土を前方に案内するためのロータリーカバーを備え、
前記作業車両の車輪が形成する轍に向けて前記耕耘土を案内するための案内部を、前記ロータリーカバーの前部に回動可能に備え、
不使用時には、前記案内部を上方に回動させて前記ロータリーカバー上に固定することを特徴とする。
【０００７】
請求項２に記載の発明は、動力源を有する作業車両の後部に連結し、前記動力源によって耕耘爪を回転させるロータリー作業機において、
前記耕耘爪を上方より覆い、耕耘土の飛散を防止するとともに該耕耘土を前方に案内するためのロータリーカバーを備え、
該ロータリーカバーの前部に、前記作業車両の車輪が形成する轍に向けて前記耕耘土を案内するための案内部を備え、
該案内部が前記ロータリーカバーに対して着脱自在であることを特徴とする。
【０００８】
請求項３に記載の発明は、請求項１または２に記載のロータリー作業機において、前記案内部が、前記耕耘土を案内するガイド部と、該ガイド部を保持する本体部とを備え、
前記ガイド部を回動させることで、該ガイド部の中心線が前記轍の中心線とのなす角を変更可能に、前記本体部が前記ガイド部を保持することを特徴とする。
【発明の効果】
【０００９】
請求項１に記載の発明によれば、動力源を有する作業車両の後部に連結し、前記動力源によって耕耘爪を回転させるロータリー作業機において、前記耕耘爪を上方より覆い、耕耘土の飛散を防止するとともに該耕耘土を前方に案内するためのロータリーカバーを備え、前記作業車両の車輪が形成する轍に向けて前記耕耘土を案内するための案内部を、前記ロータリーカバーの前部に回動可能に備え、不使用時には、前記案内部を上方に回動させて前記ロータリーカバー上に固定する。
【００１０】
したがって、案内部が耕耘土を作業車両が形成した轍に効率よく導くことができ、轍に土を供給した後、耕耘作業をすることを可能とする。これによって、従来より問題となってきた耕耘ムラを解消して平坦な耕作地を形成するロータリー作業機を提供することができる。また、案内部を使用しないときは、上方に向けて回動させることができるので、案内部の使用・不使用を選択することができる。また、案内部をロータリーカバーに回動可能に備えているので、案内部を使用しないときであっても、案内部を取り外すことがない。このため、案内部を倉庫などに保管する必要がなく、案内部をなくしたり、誤って破損したりすることを防止できる。
【００１１】
請求項２に記載の発明によれば、動力源を有する作業車両の後部に連結し、前記動力源によって耕耘爪を回転させるロータリー作業機において、前記耕耘爪を上方より覆い、耕耘土の飛散を防止するとともに該耕耘土を前方に案内するためのロータリーカバーを備え、該ロータリーカバーの前部に、前記作業車両の車輪が形成する轍に向けて前記耕耘土を案内するための案内部を備え、該案内部が前記ロータリーカバーに対して着脱自在である。
【００１２】
したがって、案内部が耕耘土を作業車両が形成した轍に効率よく導くことができ、轍に土を供給した後、耕耘作業をすることを可能とする。これによって、従来より問題となってきた耕耘ムラを解消して平坦な耕作地を形成するロータリー作業機を提供することができる。また、案内部を使用しないときは、取り外すことができるので、案内部の使用・不使用を選択することができる。
【００１３】
請求項３に記載の発明によれば、前記案内部が、前記耕耘土を案内するガイド部と、該ガイド部を保持する本体部とを備え、前記ガイド部を回動させることで、該ガイド部の中心線が前記轍の中心線とのなす角を変更可能に、前記本体部が前記ガイド部を保持するので、作業車両によって轍の幅の広さが異なる場合であっても、ガイド部を回動させて適切に耕耘土を轍に案内することができる。
【図面の簡単な説明】
【００１４】
【図１】この発明の一例のロータリー作業機の概略側面図である。
【図２】（ａ）はその主要部の平面図、（ｂ）は土寄せカバーの側面図、（ｃ）は土寄せカバーの背面図である。
【図３】土寄せカバーの係止部の、（ａ）は平面図、（ｂ）は側面図である。
【図４】土寄せカバーを用いてロータリー作業機が耕耘する様子を示す図であり、（ａ）は側面図、（ｂ）は平面図である。
【図５】（ａ）はこの発明の別の例の土寄せカバーを示す平面図、（ｂ）はその土寄せカバーを取り付けたロータリーカバー付近の平面図である。
【図６】（ａ）はこの発明のさらに別の例のロータリーカバー付近の平面図、（ｂ）はそのロータリーカバーに土寄せカバーを取り付けたときの平面図である。
【図７】この発明のさらに別の例の土寄せカバーの、（ａ）は背面図、（ｂ）は平面図、（ｃ）は側面図である。
【図８】この発明のさらに別の例の土寄せカバーの、（ａ）は背面図、（ｂ）は平面図、（ｃ）は側面図である。
【発明を実施するための形態】
【００１５】
以下、図面を参照しつつ、この発明を実施するための最良の形態について詳述する。図１には、この発明の一例のロータリー作業機５０の概略側面図を示す。ロータリー作業機５０は、エンジン（動力源）を有するトラクタ２１（作業車両）の後部に連結される。トラクタ２１は一対の前輪と一対の後輪とを備え、後輪の直径が前輪のそれよりも大きく形成されている。ロータリー作業機５０は、トラクタ２１のエンジンから駆動力をＰＴＯ軸４１で伝達して作業をするものである。ロータリー作業機５０は、ＰＴＯ軸４１から動力を伝達する動力伝達機構として、不図示のギアボックス、ギアボックスの両側から車幅方向にそれぞれ延出したメインビーム４３、メインビーム４３の左端に備えるチェーンケース４４、チェーンケース４４内のチェーンの回転に同期して回転する爪軸４５ａ、爪軸４５ａの周りに突設された複数のロータリー爪（耕耘爪）４５などを備える。また、ギアボックスに外側に固設されたＶ字状のアッパーアーム５４、ギアボックスの両側方に配置され、かつ、メインビーム４３に回動自在に取り付けられたデプスビーム５６、複数のロータリー爪４５を上方より覆うことで耕耘した土の飛散を防止するロータリーカバー４６などを備える。
【００１６】
ロータリーカバー４６には、ロータリー爪４５によって巻き上げられた耕耘土の飛散を防止するとともにその一部を前方に案内するためのものである。ロータリーカバー４６には、これを前後に回動させるためのハンドル４９が取り付けられている。ロータリーカバー４６は、ハンドル４９を回転させることで爪軸４５ａを中心にして進行方向に対して前後に回動可能に構成されている。ロータリーカバー４６の回動は耕耘深さ（耕深）に合わせて調整される。また、ロータリーカバー４６の後端には、リヤカバー４７が回動部４８を介して回動自在に連結されている。
【００１７】
リヤカバー４７の下部には、ハンガーロッド５１の下端がピンによって回動自在に取り付けられている。一方、ロータリーカバー４６の後部上には左右両側にロッドステー５２が後斜め上方に向けて設けられ、そのロッドステー５２の上端部にハンガーロッド５１の上部が回動軸５３の周りに回動自在に、かつハンガーロッド５１の長さ方向に摺動自在に支持されている。また、ハンガーロッド５１の外周には不図示のコイルバネが巻きつけられ、リヤカバー４７を下方（本図において時計回り）に付勢している。
【００１８】
アッパーアーム５４の一端には前述のトラクタ２１のトップリンク３９が取り付けられるとともに、アッパーアーム５４の別の一端には、アジャストスクリュー５５が取り付けられている。このアジャストスクリュー５５は、デプスビーム５６の上下傾斜角を調整ハンドル５７を操作することによって調整できるようになっている。なお、ロータリーカバー４６の後部にはサイドカバーを取り付けたり、リヤカバー４７の下部にはサイドアンダーカバーを取り付けたりしてもよい。
【００１９】
ロータリー作業機５０のギアボックスには、ユニバーサルジョイント４２を介してトラクタ２１のＰＴＯ軸４１を連結し、トラクタ２１の駆動力をロータリー作業機５０に伝達する。このギアボックス内にて、ＰＴＯ軸４１の駆動力は、メインビーム４３内のシャフトに伝達される。シャフトの端部はチェーンケース４４内に配置され、そのシャフトの端部にはギアが固設されている。チェーンケース４４内には、爪軸４５ａの端部に固設された別のギアも備える。そして、２つのギアに無端チェーンを掛け回すことで、メインビーム４３内のシャフトから爪軸４５ａへと駆動力が伝達されるようになっている。
【００２０】
なお、ロータリーカバー４６は、ロータリー爪４５を上方から覆うとともに前後方向に略弧状に形成された天部４６Ｕと、ロータリー爪４５を両側から覆い隠すように配置された一対の側部４６Ｓとで構成され、天部４６Ｕの両側端にそれぞれ側部４６Ｓが一体に形成されている。そして、ロータリーカバー４６の天部４６Ｕの前端には、一対の土寄せカバー（案内部）５８を備える。
【００２１】
土寄せカバー５８は、ロータリーカバー４６によって前方に案内された耕耘土の一部をトラクタ２１の左右の轍Ｔ，Ｔへと誘導するためのものである（図４（ａ），（ｂ）参照）。轍Ｔ，Ｔはトラクタ２１の後輪（車輪）２４，２４によって形成されたものである。土寄せカバー５８は、図２（ａ）〜（ｃ）に示すように、ロータリーカバー４６の幅方向の中心線ＣＬから左右両側に等距離に隔たった位置にそれぞれ配置される。左右の土寄せカバー５８は、トラクタ２１のそれぞれの後輪の轍Ｔの中心線ＭＬに向けて耕作土を誘導するためのものである。土寄せカバー５８は、本体部５８Ｂと一対のガイド部５８Ｗ，５８Ｗとで構成される。本体部５８Ｂは、略矩形の鉄板で形成される。また、ガイド部５８Ｗは台形状の鉄板で形成される。そして、ガイド部５８Ｗを本端部５８Ｂに立てた状態で溶接などによって取り付ける。一対のガイド部５８Ｗ，５８Ｗ平面視でハの字となるように取り付けられる。
【００２２】
本体部５８Ｂの一端にはヒンジＨの一方を溶接などで固定する。ヒンジＨの他方はロータリーカバー４６の天部４６Ｕの前端に溶接などで固定する。このようにして、土寄せカバー５８をロータリーカバー４６に対して回動可能に取り付ける。土寄せカバー５８は、使用時には下方に回動させて図２（ｂ）の実線で示す状態とし、不使用時には、上方に回動させて図２（ｂ）の破線で示す状態とする。なお、この例では、左右の土寄せカバー５８，５８は同一の形状であるがこれに限定されるものではない。
【００２３】
図３（ａ），（ｂ）に示すように、ロータリーカバー４６の天部４６Ｕには、一対の係止部６０を回動自在に取り付ける。係止部６０は、左右それぞれの土寄せカバー５８を不使用時にロータリーカバー４６の天部４６Ｕ上に掛け止めて固定するためのものである。係止部６０は、フック６０Ａと支持軸６０Ｂとで構成される。フック６０Ａは金属板で形成され、その一端に支持軸６０Ｂの先端を貫通させて固定する。支持軸６０Ｂは回動自在に天部４６Ｕに取り付ける。
【００２４】
フック６０Ａは図３（ａ）にて矢印で示すように左右に回動することができる。したがって、土寄せカバー５８の不使用時には、フック６０Ａを回動させて本体部５８Ｂの直上方に配置してロック状態とし、本体部５８Ｂが上方に回動することを規制する。また、土寄せカバー５８の使用時には、フック６０Ａを回動させて本体部５８Ｂの直上方からはずして非ロック状態とし、土寄せカバー５８をヒンジＨを支点として前方に回動させる。
【００２５】
次に、このように構成されたロータリー作業機５０で圃場を耕耘する動作について図４（ａ），（ｂ）を用いて説明する。トラクタ２１の回転動力は、ＰＴＯ軸４１よりロータリー作業機５０側に伝達される。そして、ロータリー爪４５が図４（ａ）にて反時計方向に回転する。
【００２６】
所定の耕深を設定されてロータリー作業機５０が接地されると、ロータリー爪４５が地面を耕耘する。耕耘された土（耕耘土）の大部分はロータリーカバー４６の後方に巻き上げられて、リヤカバー４７の裏面側に当接することで飛散することを規制される。一方、耕耘土Ｐの一部はロータリー爪４５の回転方向に向けて巻き上げられ、ロータリーカバー４６の前方に搬送される。この前方に搬送された耕耘土Ｐのさらに一部は、土寄せカバー５８によって導かれて、轍Ｔの中心線ＭＬ方向へと誘導される。そして、ロータリーカバー４６からＲ方向に排出されて轍Ｔ上に落下する。轍Ｔ上に落下した土Ｐは、轍Ｔの窪みを満たして轍Ｔを平坦にする。これによって、ロータリー爪４５が耕耘する直前の地面Ｇには轍Ｔがなくなり、均一な耕耘作業を行うことができる。これによって、凹凸のない平坦な耕作地が形成される。
【００２７】
ところで、土寄せカバー５８は、図５（ａ）に示すように形成してもよい。土寄せカバー１５８は、本体部１５８Ｂと一対のガイド部１５８Ｗ，１５８Ｗとで構成される。本体部１５８Ｂは、略矩形の鉄板で形成される。本体部１５８Ｂの後端部の左右に一対の貫通孔１５８Ｈ，１５８Ｈを設ける。この貫通孔１５８Ｈは、本端部１５８Ｂの後端１５８ＢＥから距離Ｄの範囲に設けられる。また、２つの貫通孔１５８Ｈの間の中心距離はＬである。ガイド部１５８Ｗは台形状の鉄板で形成される。そして、ガイド部１５８Ｗを本端部１５８Ｂに立てた状態で溶接などによって取り付ける。一対のガイド部１５８Ｗ，１５８Ｗ平面視でハの字となるように取り付けられる。このとき、ガイド部１５８Ｗの後端は本体部１５８Ｂの後端１５８ＢＥから距離Ｄの範囲には入らないように配置される。
【００２８】
なお、ロータリーカバー４６´の天部４６Ｕ´の前端部には、左右のガイド部１５８Ｗに備える貫通孔１５８Ｈに対応する部分に同数の貫通孔を形成する（すなわち、この例では、左右に２つずつの貫通孔を備える）。ロータリー作業機５０のその他の構成は図１に示すのと同様である。
【００２９】
このように構成された土寄せカバー１５８を使用するときは、土寄せカバー１５８の貫通孔１５８Ｈとロータリーカバー４６´の天部４６Ｕ´に形成された貫通孔とを合わせ、図５（ｂ）に示すように、ボルトＢＴによって両者を固定する。なお、土寄せカバー１５８とトラクタ２１の轍Ｔとの位置関係は前述の例と同様である。また、ロータリー作業機５０により耕耘作業を行うときの耕耘土の動作も同様である。なお、土寄せカバー１５８を使用しないときはボルトＢＴを緩めて外して倉庫などに保管する。このように土寄せカバー１５８を構成すると、前述の例のようにヒンジＨをロータリーカバー４６に溶接して備える必要がなく、製造工程を簡単にすることができる。
【００３０】
図６（ａ），（ｂ）にはこの発明のさらに別の例を示す。この例では、図５にて説明した土寄せカバー１５８を用いが、ロータリーカバー４６´´に形成する貫通孔の数が異なる。それ以外のロータリー作業機５０の構成は前述の例と同様である。
【００３１】
この例のロータリーカバー４６´´では、天部４６Ｕ´´の前端部に貫通孔４６Ｈを左右それぞれ５つずつ形成する。隣接する貫通孔４６Ｈ間の距離はそれぞれ１／２Ｌである。土寄せカバー１５８の貫通孔１５８Ｈ間の距離はＬであるので、５つのうちの２つの貫通孔４６Ｈを適宜選択することで、土寄せカバー１５８の位置を変更することができる。これによって、トラクタ２１の左右の後輪２４，２４間の距離（すなわち轍Ｔ，Ｔ間の距離）に応じて、適宜、土寄せカバー１５８をロータリーカバー４６´´にボルトＢＴにて取り付けることができる（土寄せカバー１５８を移動した状態は２点鎖線で表示）。したがって、土寄せカバー１５８をロータリーカバー４６´´の幅方向に複数の箇所に選択的に取り付けることができる。なお、土寄せカバー１５８を使用しないときはボルトＢＴを緩めて外して倉庫などに保管する。
【００３２】
図７（ａ）〜（ｃ）には、この発明のさらに別の例を示す。この例では、図２の例と比べて、土寄せカバー５８のガイド部５８Ｗを本体部５８Ｂに対して回動可能とした点で異なる。それ以外のロータリー作業機５０の構成・作用は同様である。この例の土寄せカバー５８´（案内部）は、耕耘土を案内するガイド部５８Ｗ´と、ガイド部５８Ｗ´を保持する本体部５８Ｂ´とを備える。本体部５８Ｂ´には蝶ボルト５８Ａ´，５８Ａ´を貫通させるための２つの貫通孔および、ガイドピン５８Ｐ´の移動をガイドするためのガイド孔５８Ｇ´，５８Ｇ´を備える。また、本体部５８Ｂ´の一端にはヒンジＨを溶接などで固定する。
【００３３】
ガイド部５８Ｗ´は側面視で台形状の金属板で形成され、それを立てた状態で中心の周りに回動可能とする。ガイド部５８Ｗ´の中心付近に形成された貫通孔に蝶ボルト５８Ａ´を上方より貫通させる。ガイド部５８Ｗ´の底面側には貫通孔に合わせてナットＮＴを溶接などで固定する。蝶ボルト５８Ａ´の下端はこのナットＮＴにネジ付けられることで、ガイド部５８Ｗ´の回動を固定する。そして、ガイド部５８Ｗ´の下面の前端にはガイドピン５８Ｐ´を嵌めつける。このガイドピン５８Ｐ´は、本体部５８Ｂ´のガイド孔５８Ｇ´に遊嵌されている。このようにして、ガイド部５８Ｗ´は本体部５８Ｂ´に回動可能に保持されている。
【００３４】
このように構成された土寄せカバー５８´は、轍Ｔの幅によって耕耘土を供給する幅を調節することができる。すなわち、蝶ボルト５８Ａ´を緩めてガイド部５８Ｗ´を回動自在な状態とする。ガイド部５８Ｗ´をガイド孔５８Ｇ´に沿って適宜回動させる。ガイド部５８Ｗ´の先端部５８Ｗｔ´が轍Ｔの幅に相当する位置に達したら回動を停止し、蝶ボルト５８Ａ´を締め付けてガイド部５８Ｗ´を位置決めする。このように、この例のガイド部５８Ｗ´は、蝶ボルト５８Ａ´を緩めることで、ガイド部５８Ｗ´の中心線ＷＬが轍Ｔの中心線ＭＬとのなす角αを変更自在である。したがって、轍Ｔの幅が異なるさまざまは後輪を有するトラクタに適用することができ、轍Ｔに耕耘土を確実に送ることができる。
【００３５】
なお、土寄せカバー５８´を使用しないときは、ヒンジＨを支点として、上方に回動してロータリーカバー上に載置し、図３に示すのと同様にして、係止部６０にて掛け止める。
【００３６】
図８（ａ）〜（ｃ）には、この発明のさらに別の例を示す。この例の土寄せカバー２５８´（案内部）は、図７の例と比べて、本体部２５８Ｂ´に２つの貫通孔２５８Ｈ´，２５８Ｈ´を備え、ヒンジＨを固定しない点で異なる。それ以外のロータリー作業機５０の構成・作用は同様である。土寄せカバー２５８´のロータリーカバーへの固定方法は、図５に示すのと同様である。
【００３７】
土寄せカバー２５８´は、耕耘土を案内するガイド部５８Ｗ´と、ガイド部５８Ｗ´を保持する本体部２５８Ｂ´とを備える。本体部２５８Ｂ´には蝶ボルト５８Ａ´，５８Ａ´を貫通させるための２つの貫通孔および、ガイドピン５８Ｐ´の移動をガイドするためのガイド孔５８Ｇ´，５８Ｇ´を備える。また、本体部２５８Ｂ´の後端部には、一対の貫通孔２５８Ｈ´，２５８Ｈ´を備える。
【００３８】
ガイド部５８Ｗ´の中心付近に形成された貫通孔に蝶ボルト５８Ａ´を上方より貫通させる。ガイド部５８Ｗ´の底面側には貫通孔に合わせてナットＮＴを溶接などで固定する。蝶ボルト５８Ａ´の下端はこのナットＮＴにネジ付けられることで、ガイド部５８Ｗ´の回動を固定する。そして、ガイド部５８Ｗ´の下面の前端にはガイドピン５８Ｐ´を嵌めつける。このガイドピン５８Ｐ´は、本体部２５８Ｂ´のガイド孔５８Ｇ´に遊嵌されている。このようにして、ガイド部５８Ｗ´は本体部２５８Ｂ´に回動可能に保持されている。
【００３９】
このように構成された土寄せカバー２５８´は、轍Ｔの幅によって耕耘土を供給する幅を調節することができる。すなわち、蝶ボルト５８Ａ´を緩めてガイド部５８Ｗ´を回動自在な状態とする。ガイド部５８Ｗ´をガイド孔５８Ｇ´に沿って適宜回動させる。ガイド部５８Ｗ´の先端部５８Ｗｔ´が轍Ｔの幅に相当する位置に達したら回動を停止し、蝶ボルト５８Ａ´を締め付けてガイド部５８Ｗ´を位置決めする。このように、この例のガイド部５８Ｗ´は、蝶ボルト５８Ａ´を緩めることで、ガイド部５８Ｗ´の中心線ＷＬが轍Ｔの中心線ＭＬとのなす角αを変更自在である。したがって、轍Ｔの幅が異なるさまざまは後輪を有するトラクタに適用することができ、轍Ｔに耕耘土を確実に送ることができる。
【００４０】
土寄せカバー２５８´を使用しないときは、ボルトＢＴを緩めて土寄せカバー２５８´をロータリーカバーから取り外す。
【００４１】
なお、上述の全ての例では、土寄せカバーは、トラクタ２１の後輪２４が形成する轍Ｔに耕耘土を寄せるためのものであったが、この発明はこれに限定されるものではなく、トラクタ２１の前輪が形成する轍に耕耘土を寄せるための土寄せカバーであってもよい。また、ロータリー作業機に、トラクタ２１の前後輪が形成する轍に耕耘土を寄せるための土寄せカバーを備えるようにしてもよい。このとき、トラクタ２１の左右の前輪間の距離と、トラクタ２１の左右の後輪間の距離が異なる場合があるが、そのようなときには、４つの轍が形成されるが、この発明の土寄せカバーをこれら４つの轍に土寄せする場合に適用してもよい。すなわち、ロータリーカバーに４つの土寄せカバーを備えるようにしてもよい。
【００４２】
また、この発明のロータリー作業機に備える案内部は、作業車両の車輪によって形成される轍に耕耘土を案内することに限定されるものではなく、例えば、進行方向に延びて形成された帯状（または複数のスポット状）の窪地に耕耘土を案内し、耕耘ムラのない平坦な耕作地を形成するように使用してもよい。
【産業上の利用可能性】
【００４３】
なお、この発明のロータリー作業機は、農業の耕耘作業に適用するのみならず、植林、園芸、建設などあらゆる目的の作業で、地面を掘り起こす際に適用しうる。また、作業車両はトラクタに限定されるものではなく、駆動源を備え、ロータリー作業機を取り付けられるあらゆる作業車両に適用しうる。
【符号の説明】
【００４４】
２１  トラクタ（作業車両）
２４  後輪（車輪）
４５  ロータリー爪（耕耘爪）
４５ａ  爪軸
４６，４６´，４６´´  ロータリーカバー
５０  ロータリー作業機
５８，５８´，１５８，２５８  土寄せカバー（案内部）
５８Ｂ，５８Ｂ´，１５８Ｂ，２５８Ｂ  本体部
５８Ｗ，５８Ｗ´，１５８Ｗ，２５８Ｗ  ガイド部
ＷＬ  ガイド部の中心線
ＭＬ  轍の中心線
Ｔ  轍
【図１】
2013039090.tif 000003
【図２】
2013039090.tif 000004
【図３】
2013039090.tif 000005
【図４】
2013039090.tif 000006
【図５】
2013039090.tif 000007
【図６】
2013039090.tif 000008
【図７】
2013039090.tif 000009
【図８】
2013039090.tif 000010